(57)【要約】【課題】  デジタルテレビ受信機において、チャンネルの選択をわかりやすくする。【解決手段】  デジタルテレビ放送を受信して所定のチャンネルの映像信号および音声信号を出力する受信回路１０と、第１および第２の操作キー４２Ｎ、４２Ｐとを設ける。プリセットテーブルと、所定の映像信号を形成するＯＳＤ回路３３と、チャンネルの選択および表示を制御する制御回路３０とを設ける。制御回路３０は、第１あるいは第２の操作キー４２Ｎ、４２Ｐが操作されたとき、プリセットテーブルに登録されている局名データをＯＳＤ回路３３に表示データとして供給して局名をリストの形式に表示する映像信号を形成し、この映像信号を受信回路１０から出力される映像信号に代わって、あるいは重畳して表示手段１８に供給する。【選択図】  図１
2007306455.tif 000002
【特許請求の範囲】
【請求項１】
デジタルテレビ放送を受信して所定のチャンネルの映像信号および音声信号を出力する受信回路と、
第１および第２の操作キーと、
プリセットテーブルと、
所定の映像信号を形成するＯＳＤ回路と、
上記チャンネルの選択および表示を制御する制御回路と
を有し、
上記プリセットテーブルは、
上記チャンネルを指定するためのチャンネルデータと、
そのチャンネルに対応するテレビ局の局名を表示するための局名データと
の組の複数が登録され、
上記制御回路は、
上記第１あるいは第２の操作キーが操作されたとき、上記プリセットテーブルに登録されている上記局名データを上記ＯＳＤ回路に表示データとして供給して上記局名をリストの形式に表示する映像信号を形成し、
この映像信号を上記受信回路から出力される映像信号に代わって、あるいは重畳して表示手段に供給する
ようにしたデジタル放送受信機。
【請求項２】
請求項１に記載のデジタル放送受信機において、
上記第１の操作キーが操作されたときには、上記プリセットテーブルに登録されているデータの組のうちの次の組を選択し、
この選択した次の組のチャンネルデータを上記受信回路に供給して対応するチャンネルを選択するとともに、
上記選択した次の組の局名データにより表示される局名を指示する指標の映像信号を形成して上記表示手段に供給し、
上記第２の操作キーが操作されたときには、上記プリセットテーブルに登録されているデータの組のうちの前の組を選択し、
この選択した前の組のチャンネルデータを上記受信回路に供給して対応するチャンネルを選択するとともに、
上記選択した前の組の局名データにより表示される局名を指示する指標の映像信号を形成して上記表示手段に供給する
ようにしたデジタル放送受信機。
【請求項３】
請求項２に記載のデジタル放送受信機において、
数字キーを有し、
この数字キーのうちの任意の数字キーを操作したとき、上記プリセットテーブルに登録されているデータの組みのうち、上記操作した数字キーに対応する組を選択し、
この選択した組のチャンネルデータを上記受信回路に供給して対応するチャンネルを選択する
ようにしたデジタル放送受信機。
【発明の詳細な説明】
【技術分野】
【０００１】
この発明は、デジタル放送受信機に関する。
【背景技術】
【０００２】
デジタルテレビ放送として、地上デジタル放送、ＢＳ放送、ＣＳ放送が行われている。このデジタルテレビ放送の受信機には、一般にチャンネル（サービス）のプリセット機能やチャンネルアップダウン機能が用意されている。
【０００３】
チャンネルのプリセット機能は、数字キーのいずれかを押すと、その押されたキーにあらかじめプリセット（登録）されているチャンネルが選択されるものである。また、チャンネルアップダウン機能は、チャンネルアップキーあるいはチャンネルダウンキーを押すと、プリセットされているチャンネルが順に選択されていくものである。
【０００４】
なお、先行技術文献として例えば以下のものがある。
【特許文献１】特開２００１−４５３９９号公報
【発明の開示】
【発明が解決しようとする課題】
【０００５】
ところで、デジタルテレビ放送の受信機の場合、受信したデジタルデータの処理に時間がかかる。このため、デジタルテレビ放送の受信機においては、アナログテレビ放送の受信機に比べ、チャンネル変更のキー操作をしてから実際に変更後の映像（および音声）が出力されるまでに、多くの時間がかかり、その間、画面は黒いままとなってしまう。
【０００６】
そこで、一部の受信機では、チャンネル変更のキー操作をすると、目的とするチャンネルの映像を出力できるようになるまでの期間、そのチャンネルのテレビ局名やロゴなどを表示するようにしている。
【０００７】
この場合、プリセット機能による選局であれば、目的とするチャンネルを指定して選局をするのであるから、あまり問題はない。しかし、チャンネルアップダウン機能による選局のときには、キーを押すと、黒い画面と、次のチャンネル画面とが交互に表示されながらチャンネルが変化していくので、次にどのチャンネルが選択されるかが分かりにくい。あるいは現在見ているチャンネルから大きく離れたチャンネルを選択するには、キーを押すごとに、表示されるテレビ局名やロゴを確認する必要があり、選局が分かりにくい。
【０００８】
この発明は、このような問題点を解決しようとするものである。
【課題を解決するための手段】
【０００９】
この発明においては、
デジタルテレビ放送を受信して所定のチャンネルの映像信号および音声信号を出力する受信回路と、
第１および第２の操作キーと、
プリセットテーブルと、
所定の映像信号を形成するＯＳＤ回路と、
上記チャンネルの選択および表示を制御する制御回路と
を有し、
上記プリセットテーブルは、
上記チャンネルを指定するためのチャンネルデータと、
そのチャンネルに対応するテレビ局の局名を表示するための局名データと
の組の複数が登録され、
上記制御回路は、
上記第１あるいは第２の操作キーが操作されたとき、上記プリセットテーブルに登録されている上記局名データを上記ＯＳＤ回路に表示データとして供給して上記局名をリストの形式に表示する映像信号を形成し、
この映像信号を上記受信回路から出力される映像信号に代わって、あるいは重畳して表示手段に供給する
ようにしたデジタル放送受信機
とするものである。
【発明の効果】
【００１０】
この発明によれば、現在受信処理中のチャンネルがどれであるか、目的とするチャンネルがどのくらい離れているか、目的とするチャンネルはキーを何回押せばよいか、あるいはキーを押したときに、どのチャンネルが選択されるかを、容易に知ることができ、チャンネルの選択がわかりやすい。
【００１１】
また、キーと、選択されるチャンネルとの対応関係がわかりやすい。さらに、チャンネル変更のキー操作をしてから実際に変更後のチャンネルの映像が出力されるまでに、時間がかかっても、目的とするチャンネルを適切に選択することができる。
【発明を実施するための最良の形態】
【００１２】
〔１〕  構成
図１は、この発明を地上デジタルテレビ放送の受信機に適用した場合の一例を示し、符号１０はその受信回路である。すなわち、地上デジタルテレビ放送の放送波がアンテナ１１により受信され、その受信信号がシンセサイザ方式に構成されたチューナ回路１２に供給されて目的とするチャンネル（サービス）を含む受信信号が中間周波信号に変換される。
【００１３】
そして、この中間周波信号が中間周波回路１３を通じて復調回路１４に供給されてＭＰＥＧ２形式のデジタルデータ（トランスポートストリーム）が復調されて取り出され、このデジタルデータがＴＳデコーダ回路１５に供給されて目的とするチャンネルの映像および音声のデータストリームが選択されるとともにデコードされる。
【００１４】
そして、このデコードされた映像のデータストリームが、映像デコーダ回路１６に供給されてもとのデジタル映像信号にデコードされ、このデジタル映像信号がドライブ回路１７を通じてデジタル入力の表示手段、例えばＬＣＤパネル１８に供給され、目的とするチャンネルの映像が表示される。
【００１５】
また、ＴＳデコーダ回路１５によりデコードされた音声のデータストリームが、音声デコーダ回路２１に供給されてもとのデジタル音声信号にデコードされるとともに、アナログ信号にＤ／Ａ変換され、この信号がスピーカ２２に供給され、ＬＣＤパネル１８に表示されている映像に対応する音声が、スピーカ２２から出力される。
【００１６】
さらに、この受信機はシステム制御回路３０を有する。このシステム制御回路３０は、受信回路１０が受信するチャンネルやＬＣＤパネル１８の表示などの制御を行うためのものであり、このため、マイクロコンピュータ（図示せず）を有して構成されている。そして、システム制御回路３０からチューナ回路１２に選局信号が供給され、復調回路１４およびＴＳデコーダ回路１５に制御信号が供給されるとともに、復調回路１４およびＴＳデコーダ回路１５からシステム制御回路３０にステータス信号が供給される。
【００１７】
また、システム制御回路３０には、各種の操作スイッチ３１が接続されるとともに、リモコン（遠隔操作）の受信部３２が接続される。この受信部３２は、リモコンの送信機４０と対となっているものであり、これら送信機４０および受信部３２は、例えば赤外線によりリモコンを実現するものである。そして、送信機４０は、操作スイッチの一部として、「１」〜「12」の数字キー４１と、チャンネルアップダウン機能を実現するための次キー４２Ｎおよび前キー４２Ｐとを有する。なお、数字キー４１は、後述するように、プリセット機能を実現するためのプリセットキーでもある。
【００１８】
さらに、システム制御回路３３にはＯＳＤ回路３３が接続される。このＯＳＤ回路３３は、システム制御回路３０からの表示データにしたがって、所定のデジタル映像信号を形成し、これをドライブ回路１７を通じてＬＣＤパネル１８に供給するものである。
【００１９】
また、システム制御回路３０には、そのＣＰＵ（図示せず）が実行するプログラムの一部として、例えば図２に示すようなルーチン１００が用意される。このルーチン１００は、チャンネルアップダウン機能を実現するためのものであり、その詳細については後述するが、図２においては、ルーチン１００はこの発明に関係する部分だけを抜粋して示している。
【００２０】
また、システム制御回路３０は、不揮発性メモリ３０Ａを有し、この不揮発性メモリ３０Ａに、例えば図３に示すようなプリセットテーブルPTBLが用意されている。このプリセットテーブルPTBLは、上述したプリセット機能によるチャンネルの選択と、チャンネルアップダウン機能によるチャンネルの選択とを実現するためのものである。
【００２１】
すなわち、図３の例においては、プリセットテーブルPTBLは、チャンネルデータＤCHと、局名データＤNAMEと、チャンネル番号データＤNOと、選択フラグＦSELとを１組とし、この１組のデータを、リモコン送信機４０の数字キー４１のそれぞれ（「１」〜「12」キー）ごとに有するものである。
【００２２】
ここで、チャンネルデータＤCHは、チューナ回路１２に選局信号として供給されて目的とするチャンネルを含む受信信号を選択するためのデータと、ＴＳデコーダ回路１５に制御信号として供給されて目的とするチャンネルの映像および音声のデータストリームを選択するためのデータとから構成されている。また、局名データＤNAMEは、ＬＣＤパネル１８に、テレビ局名やロゴなどを表示するためのデータであり、チャンネル番号データＤNOは、ＬＣＤパネル１８にチャンネル番号を表示するためのデータである。
【００２３】
さらに、選択フラグＦSELは、現在選択されているチャンネルおよびそのチャンネルがプリセットされている数字キーでは“１”となり、それ以外では“０”となるフラグである。図３は、数字キー「３」に対応する選択フラグＦSELが“１”にセットされ、他の数字キーに対応する選択フラグＦSELが“０”にリセットされている場合である。
【００２４】
なお、プリセットテーブルPTBLにおける各データは、一般のシンセサイザ方式の受信機と同様にして登録することができる。また、局名データＤNAMEは、該当するチャンネルの放送を通じて得ることができる。
【００２５】
〔２〕  動作
〔２−１〕  プリセット機能によるチャンネルの選択
この場合には、リモコン送信機４０の数字キー４１のうち、目的とするチャンネルがプリセットされている数字キーを押す。
【００２６】
すなわち、数字キー４１のうち、例えば「３」キーを押すと、これが赤外線により送信機４０から受信部３２に送信され、システム制御回路３０に「３」キーの押されたことが通知される。すると、システム制御回路３０においては、メモリ３０ＡのプリセットテーブルPTBLのうち、「３」キーの組からチャンネルデータＤCH3が取り出され、この取り出されたチャンネルデータＤCH3が、チューナ回路１２およびＴＳデコーダ回路１５に供給される。
【００２７】
この結果、チューナ回路１２において、「３」キーにプリセットされているチャンネルを含む受信信号が選択されるとともに、ＴＳデコーダ回路１５において、「３」キーにプリセットされているチャンネルの映像および音声のデータストリームが選択されてデコードされる。したがって、映像デコーダ回路１６からは「３」キーにプリセットされているチャンネルのデジタル映像信号が取り出され、このデジタル映像信号がドライブ回路１７を通じてＬＣＤパネル１８に供給されるので、ＬＣＤパネル１８には「３」キーにプリセットされているチャンネルの映像が表示される。
【００２８】
また、音声デコーダ回路２１からは「３」キーにプリセットされているチャンネルのアナログ音声信号が出力され、この音声信号がスピーカ２２に供給される。したがって、スピーカ２２からは「３」キーにプリセットされているチャンネルの音声が出力される。
【００２９】
さらに、このとき、プリセットテーブルPTBLのうち、「３」キーの組から局名データ「○○テレビ」が取り出されるとともに、チャンネル番号データ「＊４＊」が取り出され、これらデータがＯＳＤ回路３３に表示データとして供給される。この結果、ＯＳＤ回路３３において、その表示データに対応した所定のデジタル映像信号が形成され、この映像信号がドライブ回路１７を通じてＬＣＤパネル１８に供給される。これにより、ＬＣＤパネル１８には、「３」キーにプリセットされているチャンネルのテレビ局名「○○テレビ」およびチャンネル番号「＊４＊」が、放送の映像に重畳されて所定の期間にわたって表示される。
【００３０】
また、図３に示すように、プリセットテーブルPTBLのうち、「３」キーに対応する選択フラグＦSEL、すなわち、今回の選局操作によって選択されたチャンネルに対応するフラグＦSELが“１”にセットされ、それまで選択されていたチャンネルに対応する選択フラグＦSELは“０”にリセットされる。
【００３１】
こうして、数字キー４１の「１」〜「12」キーのどれかを押すと、その押されたキーにプリセットされているチャンネルが選択され、そのチャンネルの受信ができるようになる。
【００３２】
〔２−２〕  チャンネルアップダウン機能によるチャンネルの選択
この場合には、プリセットテーブルPTBLにプリセットされているチャンネルのうちの任意のチャンネルを見ているときに、リモコン送信機４０の次キー４２Ｎあるいは前キー４２Ｐを押す。
【００３３】
すると、この次キー４２Ｎあるいは前キー４２Ｐの押されたことが、〔２−１〕の場合と同様にしてシステム制御回路３０に通知され、システム制御回路３０においては、これを構成するマイクロコンピュータのＣＰＵ（図示せず）によりルーチン１００が実行され、プリセットテーブルPTBLに登録されているチャンネルが順に選択されていく。
【００３４】
すなわち、次キー４２Ｎあるいは前キー４２Ｐの押されたことがシステム制御回路３０に通知されると、ＣＰＵの処理がルーチン１００のステップ１０１からスタートし、次にステップ１０２において、システム制御回路３０により映像デコーダ回路１６が制御されてドライブ回路１７に供給されるデジタル映像信号がブランキング処理が実行され、ＬＣＤパネル１８は例えば黒画面とされる。
【００３５】
続いて、ステップ１１１において、プリセットテーブルPTBLの選択フラグＦSELのうち、“１”になっている選択フラグの次の選択フラグ（次キー４２Ｎが押されたとき）、あるいは前の選択フラグ（前キー４２Ｐが押されたとき）が“１”とされ、それまで“１”の選択フラグは“０”とされる。なお、「次」は、数字キー４１の数字が大きくなる方向（図３において、下の方向）を意味し、「前」は、数字キー４１の数字が小さくなる方向（図３において、上の方向）を意味する。
【００３６】
そして、ステップ１１２において、プリセットテーブルPTBLのうち、選択フラグＦSELが“１”になっている組から、チャンネルデータＤCHが取り出される。図３の場合であれば、ＦSEL＝“１”は「３」キーの組なので、この「３」キーの組のチャンネルデータＤCH3が取り出される。さらに、ステップ１１３において、ステップ１１２により取り出されたチャンネルデータＤCH、図３の場合、チャンネルデータＤCH3が、チューナ回路１２およびＴＳデコーダ回路１５にセットされる。
【００３７】
したがって、以後、チューナ回路１２およびＴＳデコーダ回路１５においては、ステップ１１２により取り出されたチャンネルデータＤCH、図３の場合、「３」キーにプリセットされているチャンネルを選択する処理が開始される。つまり、任意のチャンネルを見ているときに、次キー４２Ｎあるいは前キー４２Ｐを押すと、プリセットテーブルPTBLにプリセットされているチャンネルのうち、次あるいは前のチャンネルを選択する処理が開始されることになる。
【００３８】
そして、この処理が行われている間に、ＣＰＵの処理はステップ１１３からステップ１１４に進み、このステップ１１４において、プリセットテーブルPTBLに登録されているすべての局名データＤNAMEおよびチャンネル番号データＤNOが取り出され、この取り出されたデータが、ＯＳＤ回路３３に表示データとして供給される。この結果、ＯＳＤ回路３３において、その表示データに対応した所定のデジタル映像信号が形成され、この映像信号がドライブ回路１７を通じてＬＣＤパネル１８に供給され、例えば図４に示すように、局名と、そのチャンネル番号とが局名リスト１８Ｌとして表示される。
【００３９】
さらに、このとき、この局名リスト１８Ｌのうち、ＦSEL＝“１”である局名およびチャンネル番号の表示位置、図３の場合、ＦSEL＝“１”となっている組では、局名およびチャンネル番号が「○○テレビ」および「＊４＊」なので、図４に示すように、この「○○テレビ」および「＊４＊」の表示位置に、指標としてカーソル１８Ｃが表示される。なお、このカーソル１８Ｃは、反転表示により表示することができる。
【００４０】
すなわち、任意のチャンネルを見ているときに、次キー４２Ｎあるいは前キー４２Ｐを押すと、次あるいは前のチャンネルの選択の処理が開始されるとともに、図４に示すように、局名およびチャンネル番号がリスト１８Ｌの形式で表示され、現在選択の処理が行われているチャンネルの表示位置に、カーソル１８Ｃが表示される。
【００４１】
なお、以下に説明するように、カーソル１８Ｃは局名リスト１８Ｌ内で上下方向に移動するが、上述のように、数字キー４１の数字が大きくなる方向が「次」であり、数字キー４１の数字が小さくなる方向が「前」であるから、図４にも示すように、カーソル１８Ｃから見て下方向が「次」であり、上方向が「前」である。
【００４２】
続いて、ステップ１１５において、次キー４２Ｎあるいは前キー４２Ｐが押されているか否かが判別され、押されていないときには、処理はステップ１１５からステップ１１６に進み、このステップ１１６において、ＴＳデコーダ回路１５から得られるステータス信号をチェックすることにより、ステップ１１３により開始されたチャンネルの選択が完了して映像信号および音声信号が正常に得られるようになったか否かが判別される。そして、映像信号および音声信号が、まだ正常に得られないときには、処理はステップ１１６からステップ１１５に戻る。
【００４３】
したがって、ステップ１１３により開始されたチャンネルの選択が完了して映像信号および音声信号が正常に得られるようになるまでの期間、ステップ１１５、１１６が繰り返されることになる。
【００４４】
そして、この繰り返しの期間に、次キー４２Ｎあるいは前キー４２Ｐを押すと、これがステップ１１５により判別され、処理はステップ１１５からステップ１１１に戻る。したがって、再びステップ１１１が実行され、選択フラグＦSELが更新されるので、図３の場合、「４」キーあるいは「２」キーの選択フラグＦSELが“１”とされ、「３」キーの選択フラグＦSELは“０”とされる。すなわち、前回に“１”とされた選択フラグＦSELの次あるいは前の選択フラグＦSELが“１”とされ、それまで“１”の選択フラグＦSELは“０”とされる。
【００４５】
そして、以後、ステップ１１２以降が実行されるので、ステップ１１１により更新された選択フラグＦSELに対応して、さらに次あるいは前のチャンネルを選択する処理が開始されるとともに、その選択処理中のチャンネルの局名の表示位置にカーソル１８Ｃが表示されることになる。そして、その後、ステップ１１５、１１６が繰り返される。
【００４６】
こうして、次キー４２Ｎあるいは前キー４２Ｐを押すと、プリセットテーブルPTBLに登録されているチャンネルが順に選択されていくとともに、局名リスト１８Ｌが表示され、カーソル１８Ｃが、選択中のチャンネルに対応して移動していく。
【００４７】
なお、プリセットテーブルPTBLの最後のデータの組の次は最初のデータの組とされ、最初のデータの組の前は最後のデータの組とされる。したがって、次キー４２Ｎあるいは前キー４２Ｐを押し続けたときには、あるいは何回も続けて押したときには、プリセットテーブルPTBLに登録されているチャンネルが循環して選択されていくことになる。
【００４８】
そして、ステップ１１５、１１６が繰り返されている期間、ステップ１１３により開始されたチャンネルの選択が完了して映像信号および音声信号が正常に得られるようになると、これがＴＳデコーダ回路１５からのステータス信号によりシステム制御回路３０に通知されるとともに、この通知がステップ１１６により判別され、処理はステップ１１６からステップ１２１に進む。
【００４９】
そして、ステップ１２１において、映像デコーダ回路１６のブランキング処理が解除されて映像デコーダ回路１６からデジタル映像信号が出力され、ＬＣＤパネル１８に供給され、この結果、ステップ１１３により選択されたチャンネルの映像がＬＣＤパネル１８に表示される。さらに、ステップ１２２において、ＯＳＤ回路３３が制御されて、ステップ１１４により表示された局名リスト１８Ｌは表示が終了とされ、その後、ステップ１２３によりルーチン１００を終了する。
【００５０】
こうして、このルーチン１００によれば、次キー４２Ｎあるいは前キー４２Ｐを押すと、あるいは押し続けると、プリセットテーブルPTBLに登録されているチャンネルデータＤCHにしたがってチャンネルが次方向あるいは前方向に順に選択されていく。また、このとき、ＬＣＤパネル１８には、プリセットテーブルPTBLに登録されている局名データＤNAMEにしたがって局名リスト１８Ｌが表示され、カーソル１８Ｃが、選択中のチャンネルの局名の表示位置に移動していく。
【００５１】
したがって、次キー４２Ｎあるいは前キー４２Ｐを押してチャンネルを変更していくとき、目的とするチャンネルが現在選択されているチャンネルからどのくらい離れているか、あるいはキー４２Ｎ、４２Ｐを押したときに、どのチャンネルが選択されるかを、容易に知ることができ、チャンネルの選択がわかりやすい。
【００５２】
〔３〕  まとめ
上述のテレビ受信機によれば、次キー４２Ｎあるいは前キー４２Ｐを押してチャンネルを変更するとき、プリセットテーブルPTBLに登録されているチャンネルデータＤCHにしたがってチャンネルを変更していくとともに、例えば図４に示すように、チャンネルの変更中は、テレビ局名をリスト１８Ｌとして表示し、現在受信処理中のチャンネルの局名をカーソル１８Ｃにより指示するようにしている。
【００５３】
したがって、現在受信処理中のチャンネルがどれであるか、目的とするチャンネルがどのくらい離れているか、目的とするチャンネルはキー４２Ｎ、４２Ｐを何回押せばよいか、あるいはキー４２Ｎ、４２Ｐを押したときに、どのチャンネルが選択されるかなどを、容易に知ることができ、チャンネルの選択がわかりやすい。
【００５４】
また、次キー４２Ｎあるいは前キー４２Ｐを押したときには、例えば図４に示すように、テレビ局名のリスト１８Ｌが表示されるとともに、このリスト１８Ｌの中をカーソル１８Ｃが移動して選択の対象となる局名が指示されるので、キー４２Ｎ、４２Ｐと、選択されるチャンネルとの対応関係がわかりやすい。さらに、チャンネル変更のキー操作をしてから実際に変更後の映像が出力されるまでに、時間がかかっても、目的とするチャンネルを適切に選択することができる。
【００５５】
〔４〕  その他
上述においては、次キー４２Ｎあるいは前キー４２Ｐを押してチャンネルを変更するとき、現在受信処理中のチャンネルの局名をカーソル１８Ｃにより指示するとしたが、例えば図５に示すように、該当する局名の前にマーク１８を表示して指示することもできる。あるいは該当する局名の文字色を変更したり、ハイライト表示したりすることにより指標とすることもできる。
【００５６】
また、上述においては、ステップ１０２、１２１により放送の映像を禁止あるいは許可したが、これは映像デコーダ回路１６が実行するものであってもよい。さらに、操作スイッチ３１が、送信機４０のキー４１、４２Ｎ、４２Ｐと同様に機能するスイッチを含んでいてもよい。また、局名リスト１８Ｌを表示する場合、プリセットテーブルPTBLのデータ組みを例えばチャンネル番号順にソートして表示することもできる。
【００５７】
〔略語の一覧〕
ＢＳ      ：Broadcasting Satellite
ＣＰＵ    ：Central Processing Unit
ＣＳ      ：Communication Satellite
Ｄ／Ａ    ：Digital to Analog
ＬＣＤ    ：Liquid Crystal Display
ＭＰＥＧ  ：Motion Picture Experts Group
ＭＰＥＧ２：MPEG Phase 2
ＯＳＤ    ：On Screen Display
ＴＳ      ：Transport Stream
【図面の簡単な説明】
【００５８】
【図１】この発明の一形態を示す系統図である。
【図２】この発明の一形態を示すフローチャートである。
【図３】この発明に使用できるデータテーブルを示す図である。
【図４】画面表示の一例を示す図である。
【図５】画面表示の他の例を示す図である。
【符号の説明】
【００５９】
１０…受信回路、３０…システム制御回路、３１…操作スイッチ、３２…リモコン受信部、３３…ＯＳＤ回路、４０…リモコン送信機、４１…数字キー、４２Ｎ…次キー、４２Ｐ…前キー
【図１】
2007306455.tif 000003
【図２】
2007306455.tif 000004
【図３】
2007306455.tif 000005
【図４】
2007306455.tif 000006
【図５】
2007306455.tif 000007